(57)【要約】      （修正有）【課題】加熱コイルと制御基板などを効率良く冷却することができる誘導加熱調理器を提供する。【解決手段】被加熱物を載置する天板を有した本体と、本体内で天板の下方に配置された被加熱物を加熱する加熱コイル１３と、加熱コイル１３の火力を制御する制御回路を搭載した制御基板１２と、加熱コイル１３と制御基板１２に冷却風を送風する冷却ファン１１と、冷却ファン１１によって本体内に冷却風を吸い込むための吸気口と、吸気口より吸い込んだ冷却風を本体の外に排気する排気口１５とを備え、冷却ファン１１は本体の後方に配置し、冷却ファン１１により送風される冷却風により加熱コイル１３と制御基板１３を個々に冷却するよう配置したものである。【選択図】図２
2018006099.tif 000002
【特許請求の範囲】
【請求項１】
被加熱物を載置する天板を有した本体と、
該本体内で前記天板の下方に配置された前記被加熱物を加熱する加熱コイルと、
該加熱コイルの火力を制御する制御回路を搭載した制御基板と、
前記加熱コイルと前記制御基板に冷却風を送風する冷却ファンと、
該冷却ファンによって前記本体内に冷却風を吸い込むための吸気口と、
該吸気口より吸い込んだ冷却風を前記本体の外に排気する排気口とを備え、
前記冷却ファンは前記本体の後方に配置し、
前記の冷却ファンにより送風される冷却風により前記加熱コイルと前記制御基板を個々に冷却するよう配置したことを特徴とする誘導加熱調理器。
【請求項２】
前記加熱コイルを前記本体の手前側の左右方向に二カ所と該二カ所の中央後側に一カ所配置し、
後方に配置した前記加熱コイルの下方に前記冷却ファンを配置したことを特徴とする請求項１記載の誘導加熱調理器。
【請求項３】
前記本体の下部に前記本体の奥行き寸法より奥行き寸法が短い加熱調理庫を備え、
前記冷却ファンの冷却風の吸気口を本体の下面で、前記加熱調理庫の後方、かつ前記加熱調理庫と重ならない位置に設けた請求項１もしくは２に記載の誘導加熱調理器。
【発明の詳細な説明】
【技術分野】
【０００１】
本発明は、加熱部と制御部の冷却効率を向上した誘導加熱調理器に関するものである。
【背景技術】
【０００２】
従来、この種の誘導加熱調理器は、本体内部の加熱手段や加熱手段を駆動する制御基板などの部材を冷却する必要がある。そのための空気の吸気口より吸引した冷却風を用い、制御基板を冷却した後の冷却風の風路を曲げて加熱手段を冷却するもの（例えば、特許文献１）がある。
【先行技術文献】
【特許文献】
【０００３】
【特許文献１】特開２０１６−１８６２４号公報
【発明の概要】
【発明が解決しようとする課題】
【０００４】
しかしながら、従来の構成では、本体外から吸気された冷却風のほとんどが制御基板を冷却したあとに加熱手段を冷却する構成のため、加熱手段の冷却効率が悪くなるという課題があった。
【課題を解決するための手段】
【０００５】
前記従来の課題を解決するために、被加熱物を載置する天板を有した本体と、該本体内で前記天板の下方に配置された前記被加熱物を加熱する加熱コイルと、該加熱コイルの火力を制御する制御回路を搭載した制御基板と、前記加熱コイルと前記制御基板に冷却風を送風する冷却ファンと、該冷却ファンによって前記本体内に冷却風を吸い込むための吸気口と、該吸気口より吸い込んだ冷却風を前記本体の外に排気する排気口とを備え、前記冷却ファンは前記本体の後方に配置し、前記冷却ファンにより送風される冷却風により前記加熱コイルと前記制御基板を個々に冷却するよう配置したものである。
【発明の効果】
【０００６】
本発明の誘導加熱調理器は、加熱コイルと制御基板などを効率良く冷却することができる。
【図面の簡単な説明】
【０００７】
【図１】本発明の一実施例を示す誘導加熱調理器の上板部の斜視図である。
【図２】本発明の一実施例を示す誘導加熱調理器の上面構造図である。
【図３】本発明の一実施例を示す誘導加熱調理器の図２のＢ−Ｂ部の断面図である。
【図４】本発明の一実施例を示す誘導加熱調理器の図２のＡ−Ａ部の断面図である。
【発明を実施するための形態】
【０００８】
以下本発明の一実施例を図面に基づいて詳細に説明する。図１は本発明の一実施例を示す誘導加熱調理器の天板部側から見た斜視図である。図２から図４は本発明の一実施例を示す誘導加熱調理器の上面構造図、断面図である。
【０００９】
誘導加熱調理機本体１はキッチン９のワークトップに設けた開口に上から落とし込んで組み込まれている。本体１の上面の天板１ａは主に結晶化ガラスを素材としたトッププレートの周囲を保護枠２やプレート枠３で囲んで覆われている。後方のプレート枠３にはカバー４で覆われた排気口１５が設けられ、本体内を冷却した冷却風が排出される。天板１ａには加熱部１０を表すサークルが印刷され、加熱部１０の手前側には、それぞれの加熱部１０に対応する上面操作部６や上面表示部７が設けられている。上面操作部６は天板１ａに印刷された操作キーに対応した電気的容量が変化することに反応する静電容量式のタッチキーとし、天面１に凹凸がないため手入れなどの取扱いがしやすい平面接触式を実現している。
【００１０】
本体１内には加熱部１０に対応した加熱コイル１３が複数（手前側に左右方向に二カ所と該二カ所の中央の後側に一カ所）配置されている。手前側に配置される加熱コイル１３の火力は、炒め物や揚げ物など、高温で大火力が必要となる大火力の加熱コイル１３が配置され、奥側には少量の湯沸かしや煮込みなど、小火力の加熱コイル１３が配置されることが多い。加熱コイル１３は鍋の加熱を効率よく行うため、天板１ａに押しつけるよう配置される。各加熱コイル１３の後方及び前方には加熱コイル１３を制御する複数の制御基板１２を配置している。制御基板１２には各種電子部品が搭載され、発熱が大きい電子部品はアルミ製のヒートシンクを用いて放熱を行なっている。これら、複数の加熱コイル１３や制御基板１２を効率よく冷却するには、温度の低い空気を本体１の外から取り入れ、加熱コイル１３と制御基板１２を個々に冷却し、熱交換して温度上昇した冷却風を本体１の外に排出する。
【００１１】
そのため、本体ケース１４の中央の後部に冷却ファン１１を配置し、冷却ファン１１の周囲に配置される各制御基板１２と加熱コイル１３を個々に冷却するための風路１７を設けることで、冷却ファン１１により送風される温度の低い冷却風１８で個々に効率良く冷却することができる。
【００１２】
また、後方の加熱コイル１３の下部に冷却ファン１１を設け、吸気口１９を本体ケース１４の下面に設ける構成とした。これにより吸気口１９からの蒸気や油煙の吸込みがなく、低騒音化が図れる。冷却風１８の流れは、吸気口１９から冷却ファン１１、そして各制御基板１２と各加熱コイル１３に流れ、排気口１５に繋がった排気筒１６に流れて排気される。
【００１３】
さらに、複数の加熱コイル１３や制御基板１２を収納する本体ケース１４の下方に焼き魚などを加熱調理できるグリル部８を設けた構成においても、本体ケース１４の奥行き寸法より奥行き寸法が短いグリル部８とすることで、冷却手段の吸気口１９を本体ケース１４の下面で、グリル部８の後方で、かつグリル部８や排気筒１６と重ならない位置に設けることで、温度の低い空気を吸気することが出来る構成とすることができる。
【符号の説明】
【００１４】
１ａ：天板
２：保護枠
３：プレート枠
４：カバー（排気）
５：前面操作部
６：上面操作部
７：上面表示部
８：グリル部
９：キッチン
１０：加熱部
１１：冷却ファン
１２：制御基板
１３：加熱コイル
１４：本体ケース
１５：排気口
１６：排気筒
１７：風路
１８：冷却風
１９：吸気口
【図１】
2018006099.tif 000003
【図２】
2018006099.tif 000004
【図３】
2018006099.tif 000005
【図４】
2018006099.tif 000006